(57)【要約】【課題】単につぼを押圧するのみならず、つぼをもみほぐすことができ、更に、他人の背中等を足により十分な力でマッサージすることができるようにしたつぼ押し具を提供する。【解決手段】弾性を有する基部１の下面には複数の押圧部３を備えさせ、該基部の上面には人の足６に対する取付手段５を備えさせ、該基部を上方から押圧したときには該押圧部が押圧部間の間隔が大きくなる方向に開き、該基部に対する上方からの押圧を解除したときには該押圧部が元の状態に戻るようにしたことを特徴とするつぼ押し具。前記各押圧部は前記基部に回転自在に取り付けられたローラーであってもよい。【選択図】図１
0003178114.tif 000002
【実用新案登録請求の範囲】
【請求項１】
弾性を有する基部の下面には複数の押圧部を備えさせ、該基部の上面には人の足に対する取付手段を備えさせ、該基部を上方から押圧したときには該押圧部が押圧部間の間隔が大きくなる方向に開き、該基部に対する上方からの押圧を解除したときには該押圧部が元の状態に戻るようにしたことを特徴とするつぼ押し具。
【請求項２】
前記各押圧部は前記基部に回転自在に取り付けられたローラーであることを特徴とする請求項１に記載のつぼ押し具。
【考案の詳細な説明】
【技術分野】
【０００１】
本考案は、人体の「つぼ」を押すためのつぼ押し具に関するものである。
【背景技術】
【０００２】
つぼ押し具としては、特開平１０−１３７３１９号公報に示すものが知られている。この公報に示すつぼ押し具は、吸盤の外面に略半球状の押圧部を該吸盤と一体的に形成してなる軟質の合成樹脂製のもの（以下「従来のつぼ押し具」という。）である。
【０００３】
従来のつぼ押し具は、吸盤を掌に吸着させた状態で掌を人体のつぼに押し当てることにより、該吸盤の外面に形成された略半球状の押圧部を該つぼに押圧させるようにしたものである。
【先行技術文献】
【特許文献】
【０００４】
【特許文献１】特開平１０−１３７３１９号公報
【考案の概要】
【考案が解決しようとする課題】
【０００５】
しかるに、従来のつぼ押し具は、単に、吸盤の外面に単一の押圧部を該吸盤と一体的に形成してなるに過ぎないものであるため、つぼを押圧することはできるものの、つぼをもみほぐすことができないとう問題がある。また、従来のつぼ押し具は、吸盤を掌に吸着させた状態で掌を人体のつぼに押し当てることにより、該吸盤外面の押圧部をつぼに押圧させるようにしたものであり、専ら手の力のみに頼らざるを得ないため、特に他人の背中等のつぼを押圧する際には、該つぼに十分な力を及ぼすことが困難であり、施用者が短時間で疲れてしまうという問題もある。
【０００６】
本考案は、上記従来のつぼ押し具における上述の如き問題を解決し、単につぼを押圧するのみならず、つぼをもみほぐすことができ、更に、他人の背中等を足により十分な力でマッサージすることができるようにしたつぼ押し具を提供しようとしてなされたものである。
【課題を解決するための手段】
【０００７】
上記課題を解決するために、本考案は下記のつぼ押し具を提供するものである。
【０００８】
（１）弾性を有する基部の下面には複数の押圧部を備えさせ、該基部の上面には人の足に対する取付手段を備えさせ、該基部を上方から押圧したときには該押圧部が押圧部間の間隔が大きくなる方向に開き、該基部に対する上方からの押圧を解除したときには該押圧部が元の状態に戻るようにしたことを特徴とするつぼ押し具（請求項１）。
【０００９】
（２）前記各押圧部は前記基部に回転自在に取り付けられたローラーである（請求項２）。
【考案の効果】
【００１０】
[請求項１の考案]
つぼ押し具を使用する際には、基部の上面に備えさせた取付手段により施用者の足につぼ押し具を取り付け、被施用者をうつぶせにさせた状態で、施用者が被施用者の背中等のつぼに足を押し付けることにより、被施用者の背中等のつぼを押圧し、もみほぐすのである。
【００１１】
本考案において、「施用者」とは他人の背中等のつぼを押圧し、もみほぐす作業を行う者をいい、「被施用者」とは施用者による当該作業を受ける当該他人をいうものとする。
【００１２】
施用者がつぼ押し具を取り付けた足により基部を上方から押圧したときには該押圧部が押圧部間の間隔が大きくなる方向に開き、該基部に対する上方からの押圧を解除したときには該押圧部が元の状態に戻るため、施用者は被施用者の背中等のつぼを押圧するだけでなく、該つぼをもみほぐすこともできる。すなわち、単に施用者が被施用者の背中等を繰り返し踏むことにより、つぼの押圧、もみほぐしの効果が発揮される。したがって、単につぼを押圧するに過ぎない場合に比べて、マッサージ効果は著しく向上する。
【００１３】
また、上述の如く施用者は足の力によりマッサージ作業を行うことができるため、手で該作業を行う場合に比べて、被施用者の背中等のつぼに対し十分な力を容易に加えることができるだけでなく、施用者の疲れが軽減される。
【００１４】
[請求項２の考案]
各押圧部は基部に回転自在に取り付けられたローラーであるため、施用者が被施用者の背中等に沿って足を動かしたときには、該ローラーが回転し、一層のマッサージ効果が発揮される。
【００１５】
その他の点においては、請求項２の考案は、上記請求項１の考案と同様の効果を発揮する。
【図面の簡単な説明】
【００１６】
【図１】図１は、本考案によるつぼ押し具の一例の使用状態を示す正面図である。
【図２】図２は、同上つぼ押し具の基部を上方から押圧した状態を示す正面図である。
【図３】図３は、該基部に対する上方からの押圧を解除した状態を示す正面図である。
【図４】図４は、同上つぼ押し具の底面図である。
【図５】図５は、本考案によるつぼ押し具の別の一例を示す正面図である。
【考案を実施するための形態】
【００１７】
符号１に示すものはつぼ押し具の基部である。基部１は、弾性を有し、下面に複数の押圧部３を備える。
【００１８】
図１〜４に示す事例においては、基部１と複数の押圧部３とはゴム、合成樹脂等の弾性を有する材料により一体的に形成されている。
【００１９】
基部１は、一例として、図４に示すように、４個の押圧部３を備えているが、押圧部３の数は４個に限定されるものではなく、例えば２個その他の複数個であってもよい。
【００２０】
基部１の上面には人の足６に対する取付手段５を備えさせる。取付手段５は基部１を人の足６に着脱自在に取り付け得るものであればいかなるものであってもよい。
【００２１】
取付手段５は、一例として、基部１の上面に帯状体７を固着し、該帯状体７における一端部７ａの一面には面ファスナー９の雌部材９ａを備えさせ、該帯状体７における他端部７ｂの対応面には該雌部材９ａと係合可能な面ファスナー９の雄部材９ｂを備えさせてなるものである。
【００２２】
基部１を上方から押圧したときには押圧部３、３が押圧部間の間隔が大きくなる方向に開き（図２参照）、該基部１に対する上方からの押圧を解除したときには該押圧部３、３が元の状態に戻る（図３参照）ようになす。
【００２３】
符号１１に示すものは、被施用者の背中等の体である。上述の如く、基部１を上方から押圧したときには押圧部３、３が押圧部間の間隔が大きくなる方向に開き、該基部１に対する上方からの押圧を解除したときには該押圧部３、３が元の状態に戻るのであるが、この動作を繰り返すことにより、被施用者の体１１のつぼが好ましくもみほぐされる。
【００２４】
図５に示す事例においては、前記各押圧部３は前記基部１に回転自在に取り付けられたローラー３ａである。
【００２５】
図５に示す事例においても、基部１と複数のローラー３ａとはゴム、合成樹脂等の弾性を有する材料により形成されている。また、基部１を上方から押圧したときにはローラー３ａ、３ａがローラー間の間隔が大きくなる方向に開き、該基部１に対する上方からの押圧を解除したときには該ローラー３ａ、３ａが元の状態に戻る。
【００２６】
なお、前記いずれの事例においても、押圧部３（ローラー３ａ）が開く方向、すなわち、「押圧部間（ローラー間）の間隔が大きくなる方向」は、図１、図２、図３、図５における左右方向（施用者の足６の幅方向）のみならず、これらの図における前後方向（施用者の足６の長さ方向）であってもよい。
【符号の説明】
【００２７】
１  基部
３  押圧部
３ａ  ローラー
５  取付手段
６  足
７  帯状体
７ａ  一端部
７ｂ  他端部
９  面ファスナー
９ａ  雌部材
９ｂ  雄部材
１１  体
【図１】
0003178114.tif 000003
【図２】
0003178114.tif 000004
【図３】
0003178114.tif 000005
【図４】
0003178114.tif 000006
【図５】
0003178114.tif 000007